(57)【要約】【課題】結露の発生を確実に防止或いは低減することができる結露防止用シート体を提供する。【解決手段】吸放湿材料４ａを含む層４と低透湿性層６とを積層してなる結露防止用シート体１０である。【選択図】　　図１
2004001272.tif 000002
【特許請求の範囲】
【請求項１】
吸放湿材料を含むことを特徴とする結露防止用シート体。
【請求項２】
前記吸放湿材料を含む層と低透湿性層とを積層してなることを特徴とする請求項１に記載の結露防止用シート体。
【請求項３】
前記吸放湿材料は高吸水性ポリマであり、
該高吸水性ポリマと、セルローズ又はセルローズ誘導体から得られる水和性を有するミクロフィブリルとが繊維状シートに支持されていることを特徴とする請求項１又は２に記載の結露防止用シート体。
【発明の詳細な説明】
【０００１】
【発明の属する技術分野】
本発明は、冬季等に生じる窓の結露を防止するためのカーテン、ロールスクリーン、ブラインド、障子等の結露防止用シート体に関する。
【０００２】
【従来の技術】
最近、窓ガラスの結露防止のため、ガラスを二重にして断熱性を高め、部屋と外部との温度差を少なくした二重ガラスがある。また、カーテンを厚くして断熱性を高めたものもある。
【０００３】
【発明が解決しようとする課題】
しかしながら、上記したいずれの技術においても、結露の発生を完全に抑えることはできないため、結果として部屋側の窓のガラス面に付着した結露水が、窓枠、壁、床、畳等に流れてカビや腐敗を生じることが避けられなかった。
【０００４】
本発明は、上記した問題点に鑑みてなされたもので、結露の発生を確実に防止或いは低減することができる結露防止用シート体を提供することを目的とする。
【０００５】
【課題を解決するための手段】
上記した目的を達成するために、本発明の結露防止用シート体は、吸放湿材料を含むことを特徴とする。
このようにすると、吸放湿材料が周囲の水蒸気を吸収するので結露の生じやすい環境下、室内のガラス窓の結露の発生を確実に防止或いは低減することができる。そして、吸放湿材料がシート状になっているので表面積も増え、水蒸気の吸収量も増大し、結露の防止効果が大である。
【０００６】
請求項２記載の結露防止用シート体においては、前記吸放湿材料を含む層と低透湿性層とを積層してなることを特徴とする。
【０００７】
請求項３記載の結露防止用シート体においては、前記吸放湿材料は高吸水性ポリマであり、該高吸水性ポリマと、セルローズ又はセルローズ誘導体から得られる水和性を有するミクロフィブリルとが繊維状シートに支持されていることを特徴とする。
【０００８】
【発明の実施の形態】
以下、本発明の実施の形態について説明する。図１は、本発明の結露防止用シート体の一実施の形態を示す構成図である。
【０００９】
この図において、結露防止用シート体（カーテン）１０は、吸放湿材料を含む層４と低透湿性層６とを積層してなる。ここで、吸放湿材料は粒状の高吸水性ポリマ（ＳＡＰ：ｓｕｐｅｒ　ａｂｓｏｒｂｅｎｔ　ｐｏｌｙｍｅｒ）４ａであり、この高吸水性ポリマ４ａとミクロフィブリル４ｂとが繊維状シート（支持層）２に塗布されている。ミクロフィブリル４ｂは、セルローズ又はセルローズ誘導体から得られる水和性を有する小繊維であり、ＳＡＰを塗工するときのバインダとしてＳＡＰを繊維状シートに固定し、脱落を防ぐ役目をする。しかも水の浸透性、ＳＡＰの膨潤性を阻害しないような性質をもつ。
【００１０】
本発明においては、上記した吸放湿材料を含む層４が窓ガラス近傍の空気中の水蒸気を吸収することにより湿度を低下させ、これにより結露の防止又は軽減を実現したことに特徴がある。従って、実際に上記結露防止用シート体１０を使用する際は、図１に示したように吸放湿材料を含む層４側を、結露の起きる側の窓ガラスに面して配すればよい。また、この層４は、周囲の湿度が低い場合は、吸収した水蒸気を周囲に放出させるようになっており、これにより水分を吸収可能な状態に戻るので、次に結露雰囲気になったときに再度湿度を吸収できる。つまり、結露防止用として繰返し使用可能である。
【００１１】
又、本発明において、好ましくは吸放湿材料を含む層４に加え、低透湿性層６をこの層４と積層する。このようにすると、結露の起きる側（図１の窓側）と無関係の場所（図１の室内側）からの水蒸気を吸放湿材料を含む層４が吸収してしまうことにより、層４の吸湿能力が早期に飽和することを防止できる。なお、本発明において、低透湿性層６を設けない場合は、室内側に通常のカーテンやブラインド等を掛けることで、室内側からの水蒸気の吸収を防止すればよい。
【００１２】
いずれにせよ、本発明においては、吸放湿材料を含む層４がシート状になっており、通常のカーテンを代用するので、結露雰囲気との接触面積が広くなり、吸湿量が大となるので、長期間にわたり結露防止効果を発揮することができる。
【００１３】
吸放湿材料としては、シリカゲル、シリカアルミナゲル、活性アルミナ、塩化カルシウム、天然又は合成ゼオライト、合成シリカ、酸性白土（未変質な流紋岩質凝灰岩、珪酸（ＳｉＯ２）及び酸化アルミニウム（Ａｌ２Ｏ３）を主成分とする）、活性白土、セピオライト（鉱物で含水マグネシウムシリケート、化学構造式はＳｉ１２Ｍｇ８Ｏ３０（ＯＨ）４（ＯＨ２）４・８Ｈ２Ｏ）、パリゴスカイト、アロフェン（ケイ酸塩鉱物、１〜２ＳｉＯ２・Ａｌ２Ｏ３・ｎＨ２Ｏ）、イモゴライト（非晶質粘土鉱物）、ベントナイト（粘土鉱物、モンモリロナイトを主成分とした含水層状珪酸塩）、珪藻土、珪酸カルシウム等の多孔質金属酸化物や、活性炭、木材粉などの吸放湿性を有する粉体、高吸収性ポリマなどを用いることができる。
【００１４】
高吸水性ポリマ（ＳＡＰ）としては、ポリアクリル酸ソーダ、ポリアクリル酸ソーダ系高分子、ポリビニルアルコール系高分子、アクリル系高分子、無水マレイン酸共重合体、天然高分子誘導体（デンプン系、セルロース系、たんぱく質系など）等を用いることができる。特に、吸放湿量や吸放湿速度が大きいだけでなく、塗工性やコストの面からポリアクリル酸ソーダ系高吸水性ポリマが好ましい。
【００１５】
低透湿性層としては、例えば通気性の少ない高分子フィルムを用いることができる。
【００１６】
本発明の結露防止用シート体は、例えば次のようにして製造することができる。まず、吸放湿材料を含む層４は、上記吸放湿材料を種々のバインダと混ぜたもの（分散液等）を例えば所定の型に流して乾燥させることで、形成することができる。又、支持層（例えば通気性のある不織布や織物）上に上記分散液を流延させることもでき、吸放湿材料を含む層を形成した後、これと支持層とを貼り合わせることもできる。支持層により、シート全体の美観を高めるともに、吸放湿材料を含む層が吸水したときの重量を支え、シート全体の強度を高めることができる。そして、吸放湿材料を含む層（又はこの層と支持層との積層体）と低透湿性層とを貼り合わせて本発明の結露防止用シート体を製造することができる。各層の貼り合わせ方法は特に限定されないが、例えば格子状に縫ったり、高周波ウェルダ、超音波ウェルダ、ヒートシーラにより所望部分を溶融接着させればよい。
【００１７】
なお、吸放湿材料として高吸水性ポリマを用いる場合は、バインダとして上記ミクロフィブリルを用いるとよい。この場合の高吸水性ポリマとミクロフィブリルの具体的構成については、例えば特許第３０１６３６７号公報に記載のものを用いることができる。
【００１８】
【実施例】
実施例１
高吸水性樹脂（三菱化学製　アクアパールＡ２）２０質量部とミクロフィブリル（特許第３０１６３６７号公報に記載のＳ−ＭＦＣ（スーパーミクロフィブリレイテッドセルローズ）０．２質量部を、エチルアルコール／水（比率が８対２）の溶液に分散させて塗料とした。
【００１９】
この塗料を、通気性のある不織布（（株）クラレ製　クラフレックスＪＰ−３９０７、４０ｇ／ｍ２）に２００ｇ／ｍ２の塗工量で塗工して吸放湿材料を含む層（ＳＡＰシート）を形成した。
【００２０】
このＳＡＰシートをＡ４サイズに切り、容積２０Ｌの蓋付きスチール缶の内側面に粘着テープで貼付した。そして、缶の蓋をせずに３０℃、８０％ＲＨの室内雰囲気とした可変空調室で一昼夜放置し、シートに水分を吸収させた。次に、この缶を密封した後、５℃の空調室に移動して保管した。これにより、缶内部の温度は低下し、結露が発生する環境となった。５℃の空調室に移動して１、２４時間後にそれぞれ缶を開け、内壁面の結露状態を観察した。
【００２１】
比較のため、上記と同じスチール缶にＳＡＰを貼付しなかったものを比較例１とし、ＳＡＰの代わりに高吸水性樹脂１２．５ｇを入れたシャーレを上記と同じスチール缶の底部に設置したものを比較例２とし、ＳＡＰの代わりにシリカゲル１２．５ｇを入れたシャーレを上記と同じスチール缶の底部に設置したものを比較例３とした。これらの結果を表１に示す。
【表１】
2004001272.tif 000003
【００２２】
実施例２、３
実施例１で作成したＳＡＰシートの両面に、それぞれシャワーカーテン（樹脂フィルム、低透湿性層として機能）と通気性のある不織布（旭化成（株）製　エルタスＰ０３０４０）とを積層し、ヒートシーラで１０ｃｍ間隔の格子状に全体を接着させて１．１×１．２ｍの大きさの結露防止用カーテンを作製した。
【００２３】
結露の発生し易い２月末の時期に、この結露防止用カーテンを、６．６ｍ２の部屋に設置された１．１×１．２ｍのアルミサッシガラス窓の近傍の室内に吊るし、さらに室内で湯沸しポットの蓋を一部開けた状態で夕方７時から朝７時まで１２時間湯を沸かし、結露の発生し易い環境にした。その後、ガラス窓の結露状態、並びに室内外及び窓近傍（ガラス面から約１ｃｍ）の室内の温湿度を、温湿度記録計（ＣＨＩＮＯ製　ＭＯＤＥＬ：ＨＮ−Ｐ１０）で記録した。１２時間湯沸かし後、直ちに記録を行ったものを実施例２とし、１２時間湯沸かし後、日中１２時間部屋のドアを開けて換気するサイクルを１０日間繰り返した後に記録を行ったものを実施例３とした。また、上記結露防止用カーテンの代わりに吸放湿機能のない通常のアルミニウム製ブラインドを吊るし、１２時間湯沸かし後、直ちに記録を行ったものを比較例４とした。これらの結果を表２に示す。
【表２】
2004001272.tif 000004
【００２４】
表１から明らかなように、吸放湿材料を含む層（ＳＡＰシート）により、結露の生じやすい環境下において、有効に結露を防止できる。また、表２から明らかなように、吸放湿材料を含む層（ＳＡＰシート）を用いた結露防止用カーテンにより、室内のガラス窓の結露を有効に防止できる。
【００２５】
【発明の効果】
以上説明したように、本発明によれば、結露の生じやすい環境下、室内のガラス窓の結露の発生を確実に防止或いは低減することができる。
【図面の簡単な説明】
【図１】本発明の結露防止用シート体の一実施の形態を示す構成図である。
【符号の説明】
４　　　　　　　　　　　吸放湿材料を含む層
４ａ　　　　　　　　　　吸放湿材料
６　　　　　　　　　　　低透湿性層
１０　　　　　　　　　　結露防止用シート体
【図１】
2004001272.tif 000005